(57)【要約】【課題】  植物に供給される液肥に含まれる肥料バランスを極めて判りやすく表示して、植物に供給する肥料を最適設計し、植物を好ましい環境で効率よく生育させる。【解決手段】  肥料の供給装置は、排出ライン１の水に液肥ポンプ２が所定量の液肥を供給して希釈液肥としてこれを植物に供給する。供給装置は、肥料タンク４に蓄える液肥の要素量と、液肥ポンプ２が肥料タンク４から排出ライン１に供給する液肥量から、排出ライン１から排出される希釈液肥に含まれる要素比率を演算して、演算された要素比率を図示する成分図示モニタ７を備える。【選択図】図２
2005192419.tif 000002
【特許請求の範囲】
【請求項１】
所定の濃度の液肥を蓄える複数の肥料タンク(4)と、各々の肥料タンク(4)に蓄える液肥を排出ライン(1)に供給する液肥ポンプ(2)と、液肥ポンプ(2)を制御して液肥の供給量を制御するコントロール回路(5)と、排出ライン(1)に水を供給する水補給部(6)とを備え、
水補給部(6)から供給される排出ライン(1)の水に、液肥ポンプ(2)が所定量の液肥を供給して希釈液肥とし、この希釈液肥を排出ライン(1)から植物に供給するようにしてなる液肥の供給装置において、
肥料タンク(4)に蓄える液肥の要素量と、液肥ポンプ(2)が肥料タンク(4)から排出ライン(1)に供給する液肥量から、排出ライン(1)から排出される希釈液肥に含まれる要素比率を演算すると共に、演算された要素比率を図示する成分図示モニタ(7)を備えることを特徴とする液肥の供給装置。
【請求項２】
成分図示モニタ(7)が、窒素成分と燐酸成分とカリウム成分比を要素比率としてグラフで図示する請求項１に記載される肥料の供給装置。
【請求項３】
成分図示モニタ(7)が、窒素成分、燐酸成分、カリウム成分、カルシウム成分、マグネシウム成分を要素比率としてグラフで表示する請求項１に記載される肥料の供給装置。
【請求項４】
成分図示モニタ(7)が、肥料名に対する肥料の要素量を記憶する記憶部と、肥料名を入力する入力器(8)とを備えており、入力器(8)から肥料名が入力されると、記憶部に記憶される要素量に基づいて要素比率を演算して表示する請求項１に記載される肥料の供給装置。
【請求項５】
成分図示モニタ(7)が、肥料タンク(4)に蓄える液肥の要素量を入力する入力器(8)と、液肥ポンプ(2)が液肥を移送する供給量を入力する入力器(8)とを備え、入力器(8)から入力される液肥の要素量と、液肥ポンプ(2)の供給量から排出ライン(1)から排出される希釈液肥の要素比率を演算してグラフとして図示する請求項１に記載される肥料の供給装置。
【請求項６】
各々の肥料タンク(4)に特定肥料を特定量供給し、かつ液肥ポンプ(2)の供給量が特定量である状態における要素比率を記憶する記憶部を成分図示モニタ(7)に設けている請求項１に記載される肥料の供給装置。
【請求項７】
成分図示モニタ(7)が液肥ポンプ(2)の流量を検出する流量センサー(10)を備え、流量センサー(10)でもって、液肥ポンプ(2)が排出ライン(1)に供給する液肥の流量を検出し、検出した液肥の流量から、希釈液肥の要素比率を演算して図示する請求項１に記載される肥料の供給装置。
【請求項８】
水補給部(6)が水量センサー(11)を備えており、この水量センサー(11)の信号がコントロール回路(5)に入力され、コントロール回路(5)は水量センサー(11)で水の流量を検出して、水の流量に対応する流量で液肥ポンプ(2)の流量を制御する請求項１に記載される肥料の供給装置。
【発明の詳細な説明】
【技術分野】
【０００１】
本発明は、複数の液肥を水に混合して、各々の液肥に含まれる肥料成分を所定の比率に調整して希釈液肥とし、この希釈液肥を植物に供給する肥料の供給装置に関する。
【背景技術】
【０００２】
複数の液肥を水に混合して希釈液肥とし、これを植物に供給する肥料の供給装置は開発されている。（特許文献１参照）
【特許文献１】特開平９−４７１２１号公報
【発明の開示】
【発明が解決しようとする課題】
【０００３】
この公報に記載される肥料の供給装置のブロック図を図１に示す。この図の装置は、ポンプ２０で水を排出ライン２１に供給する。排出ライン２１には、液肥ポンプ２２から液肥が供給される。液肥ポンプ２２は、制御装置２３にコントロールされて、肥料タンク２４に蓄えている液肥を吸入して排出ライン２１に供給する。この装置は、液肥ポンプ２２が液肥を供給する流量を制御装置２３でコントロールして、植物に供給する希釈液肥の肥料成分と濃度を調整できる。
【０００４】
この装置は、各々の肥料タンクに肥料成分が異なる複数の肥料を供給して水に溶解し、あるいは液体の肥料を水に希釈して所定の濃度の液肥とし、これを液肥ポンプで流量をコントロールしながら排出ラインから供給して、植物に最適な肥料を供給している。この構造の肥料の供給装置は、たとえばタイマーに制御されて、１日に複数回、所定量の希釈液肥を植物に供給する。
【０００５】
植物に供給される肥料は、窒素成分、燐酸成分、カリウム成分、カルシウム成分、マグネシウム成分等の要素比率を最適設計することが大切である。このことを実現するために、要素比率が異なる複数種の肥料を混合して肥料タンクに蓄えている。さらに、複数の肥料タンクに蓄えている要素比率が異なる液肥の混合比を調整して、植物に供給する肥料を最適設計している。
【０００６】
たとえば、以下の表１は、イチゴを定植してから１０日〜花芽出蕾期（生育期）に使用される肥料を示している。ただし、この表は、各成分の含有量を１００ｇに対する含有量（ｇ）で表示している。これ等の肥料を混合して、窒素成分、燐酸成分、カリウム成分、カルシウム成分、マグネシウム成分を最適設計した肥料として、これをイチゴに供給する。
【０００７】
【表１】
2005192419.tif 000003
【０００８】
仮に、表１の肥料（１−７）を１５ｋｇと、肥料（４−１）である硝酸カルシウム（４水塩）を１０ｋｇ混合すると、窒素成分、燐酸成分、カリウム成分、カルシウム成分、マグネシウム成分の要素比率は、１０．４：４．８：１６．２：９．２：２．４となる。
【０００９】
また、Ｂ社５号１２．５ｋｇと、Ｂ社７号１２．５ｋｇと、硝酸カルシウム（４水塩）７ｋｇと、硝酸マグネシウム３ｋｇを混合する肥料は、窒素成分、燐酸成分、カリウム成分、カルシウム成分、マグネシウム成分の比率が１３．１：８．６：１８．２：４．６：２．７となる。
【００１０】
このように肥料は、成分比を最適設計して植物に与えるが、常に最適の肥料成分バランスで植物に供給するのは難しい。とくに、要素比率はバランスが大切であって、カルシウムやマグネシウム等はいずれか一方を供給しても、植物に効率よく吸収できない。このため、植物が肥料を効率よく吸収できないと、多量の肥料を供給する必要があって極めて不経済になる。また、植物に吸収されない肥料が廃棄されて、外部に悪い影響を与えることもある。
【００１１】
本発明の重要な目的は、植物に供給される液肥に含まれる肥料バランスを極めて判りやすく表示して、植物に供給する肥料を最適設計し、植物を好ましい環境で効率よく生育できる肥料の供給装置を提供することにある。
【課題を解決するための手段】
【００１２】
本発明の肥料の供給装置は、前述の目的を達成するために以下の構成を備える。肥料の供給装置は、所定の濃度の液肥を蓄える複数の肥料タンク４と、各々の肥料タンク４に蓄える液肥を排出ライン１に供給する液肥ポンプ２と、液肥ポンプ２を制御して液肥の供給量を制御するコントロール回路５と、排出ライン１に水を供給する水補給部６とを備える。水補給部６から供給される排出ライン１の水に、液肥ポンプ２が所定量の液肥を供給して希釈液肥とし、この希釈液肥を排出ライン１から植物に供給するようにしている。さらに、液肥の供給装置は、肥料タンク４に蓄える液肥の要素量と、液肥ポンプ２が肥料タンク４から排出ライン１に供給する液肥量から、排出ライン１から排出される希釈液肥に含まれる要素比率を演算して、演算された要素比率を図示する成分図示モニタ７を備える。
【００１３】
本発明の請求項２の液肥の供給装置は、成分図示モニタ７で、窒素成分と燐酸成分とカリウム成分比を要素比率としてグラフで図示し、請求項３の肥料の供給装置は、成分図示モニタ７でもって、窒素成分、燐酸成分、カリウム成分、カルシウム成分、マグネシウム成分を要素比率としてグラフで表示する。
【００１４】
さらに、本発明の請求項４の肥料の供給装置は、成分図示モニタ７に、肥料名に対する肥料の要素量を記憶する記憶部と、肥料名を入力する入力器８とを設けている。成分図示モニタ７は、入力器８から肥料名が入力されると、記憶部に記憶される要素量に基づいて要素比率を演算して図示する。
【００１５】
請求項５の肥料の供給装置は、成分図示モニタ７に、肥料タンク４に蓄える液肥の要素量を入力する入力器８と、液肥ポンプ２が液肥を移送する供給量を入力する入力器８とを設けている。成分図示モニタ７は、入力器８から入力される液肥の要素量と、液肥ポンプ２の供給量から排出ライン１から排出される希釈液肥の要素比率を演算してグラフとして図示する。
【００１６】
本発明の請求項６の肥料の供給装置は、各々の肥料タンク４に特定肥料を特定量供給し、かつ液肥ポンプ２の供給量が特定量である状態における要素比率を記憶する記憶部を成分図示モニタ７に設けている。この供給装置は、特定の使用状態で便利に使用できる。
【００１７】
さらに本発明の請求項７の肥料の供給装置は、成分図示モニタ７に液肥ポンプ２の流量を検出する流量センサー１０を設けている。流量センサー１０は、液肥ポンプ２が排出ライン１に供給する液肥の流量を検出する。成分図示モニタ７は、流量センサー１０で検出した液肥の流量から、希釈液肥の要素比率を演算して図示する。
【００１８】
本発明の請求項８の肥料の供給装置は、水補給部６に水量センサー１１を設けている。水量センサー１１の信号はコントロール回路５に入力される。コントロール回路５は水量センサー１１で水の流量を検出して、水の流量に対応する流量で液肥ポンプ２の流量を制御する。
【発明の効果】
【００１９】
本発明の肥料の供給装置は、排出ラインから植物に供給される希釈液肥に含まれる、窒素成分、燐酸成分、カリウム成分、カルシウム成分、マグネシウム成分等の肥料バランスを判りやすく成分図示モニタに図示する。ユーザーは、この成分図示モニタで肥料バランスを確認して、植物に供給する希釈液肥の肥料バランスを間違いなく最適設計することができる。このため、植物を極めて好ましい環境で効率よく生育できる特長がある。とくに、本発明の肥料の供給装置は、成分図示モニタに図示される要素比率を見て、排出ラインから植物に供給される希釈液肥の成分を確認できる。このため、要素比率を誤って希釈液肥を植物に供給することがなく、常に間違いなく最適設計された要素比率で希釈液肥を植物に供給できる。
【００２０】
請求項２の肥料の供給装置は、肥料の３要素である、窒素成分と燐酸成分とカリウム成分の要素比率、すなわちバランスをグラフで成分図示モニタに表示する。この装置は、ユーザーが成分図示モニタのグラフで肥料バランスを確認して、植物に最適設計された希釈液肥を供給できる。
【００２１】
さらに、請求項３の肥料の供給装置は、窒素成分、燐酸成分、カリウム成分、カルシウム成分、マグネシウム成分の比率、５大肥料バランスをグラフで成分図示モニタに判りやすく表示するので、ユーザーが成分図示モニタのグラフで肥料バランスを確認して、植物に最適設計された希釈液肥を供給できる。
【００２２】
請求項４の肥料の供給装置は、肥料タンクに入れる肥料の肥料名を入力して、排出ラインから排出される液肥供給器の要素比率を成分図示モニタに表示できる。このため、この装置は、肥料タンクに入れる肥料の肥料成分を入力することなく、肥料名のみを入力してに要素比率を表示できる。このため肥料名を種々の条件に変更して、簡単に最適な肥料をできる特長がある。
【００２３】
請求項５の供給装置は、肥料タンクに入れる肥料の成分量を入力するので、種々の肥料を使用して、最適設計された肥料バランスの希釈液肥を植物に供給できる。
【００２４】
また請求項６の供給装置は、各々の肥料タンクに特定の決められた肥料を、あらかじめ特定している決められた量供給し、さらに、液肥ポンプの供給量を特定量とする状態での要素比率を成分図示モニタの記憶部に記憶させているので、特定のあらかじめ決められた状態で便利に使用できる。この状態においても、成分図示モニタに要素比率が表示されるので、植物に供給する希釈液肥の要素比率を確認して間違いなく最適な肥料を供給できる。
【００２５】
また、請求項７の供給装置は、流量センサーで液肥の流量を検出するので、現実に液肥の供給量を確認して、また液肥の流量を入力することなく成分図示モニタに要素比率を表示できる特長がある。
【００２６】
さらに請求項８の供給装置は、水補給部に流量センサーを設けているので、この流量センサーの信号をコントロール回路に入力し、コントロール回路が流量センサーで水の流量を検出して、水の流量に対応する流量で液肥ポンプの流量を制御して、液肥の濃度を自動的に調整しながら希釈液肥を植物に供給できる。
【発明を実施するための最良の形態】
【００２７】
以下、本発明の実施例を図面に基づいて説明する。ただし、以下に示す実施例は、本発明の技術思想を具体化するための肥料の供給装置を例示するものであって、本発明は供給装置を以下のものに特定しない。
【００２８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２９】
図２に示す肥料の供給装置は、所定の濃度の液肥を蓄える複数の肥料タンク４と、各々の肥料タンク４に蓄える液肥を排出ライン１に供給する液肥ポンプ２と、各々の液肥ポンプ２を制御して液肥の供給量を制御するコントロール回路５と、排出ライン１に水を供給する水補給部６と、排出ライン１から排出して植物に供給される希釈液肥の要素比率を表示する成分図示モニタ７とを備える。
【００３０】
図の肥料の供給装置は、３組の肥料タンク４Ａ、４Ｂ、４Ｃを備える。ただし、肥料の供給装置は、２個又は４個以上の肥料タンクを設けることもできる。肥料タンクは、液体の肥料を水に所定の倍率に希釈して蓄え、あるいは粉末あるいは固形状の肥料を水に溶解して蓄える。肥料タンクには、ひとつあるいは複数の肥料を水に希釈して蓄えることができる。図に示す肥料タンク４は、タンク内の液肥を安定して供給できるように、ストレーナー付きフート弁１３を介して液肥ポンプ２に連結している。
【００３１】
液肥ポンプ２は、コントロール回路５に制御されて、肥料タンク４Ａ、４Ｂ、４Ｃに蓄えている肥料を所定の供給量で排出ライン１に供給する。液肥ポンプ２には、好ましくは電磁定量ポンプを使用する。電磁定量ポンプとして、ダイアフラム式ポンプ、ピストン式ポンプ、プランジャー式ポンプが使用できる。電磁定量ポンプである液肥ポンプ２は、コントロール回路５でピストン部のストローク回数を制御して、肥料タンクから排出ライン１に供給する液肥の供給量、すなわち流量をコントロールする。ただ、液肥ポンプは、図示しないが、コントロール回路に回転が制御されるサーボモーターと、このサーボモーターに駆動されるポンプ本体とで構成することもできる。この液肥ポンプは、コントロール回路でサーボモーターの回転を制御して、肥料タンクから排出ラインに供給する液肥の供給量、すなわち流量をコントロールする。液肥ポンプ２は、コントロール回路５に制御されて、液肥の供給量を設定量に調整する。図の肥料の供給装置は、３台の液肥ポンプ２Ａ、２Ｂ、２Ｃを３組の肥料タンク４Ａ、４Ｂ、４Ｃに別々に連結している。ただし、本発明の供給装置は、図示しないが、液肥ポンプを切換弁を介して複数の肥料タンクに連結して、液肥ポンプを肥料タンクの数よりも少なくすることもできる。この液肥ポンプは、切換弁で連結する肥料タンクを切り換えて、各々の肥料タンクの液肥を排出ラインに供給することができる。
【００３２】
コントロール回路５は、成分図示モニタ７から入力される制御信号でもって、液肥ポンプ２の運転を制御する。たとえば、肥料タンク４Ａ、４Ｂ、４Ｃの液肥Ａを１００倍に希釈して排出ライン１に供給する場合、コントロール回路５は、液肥ポンプ２Ａの流量が水補給部６から排出ライン１に供給される水の流量の１／１００となるように、液肥ポンプ２Ａの運転を制御する。
【００３３】
水補給部６は、排出ライン１に所定の流量で水を供給する。水補給部６は所定の流量で排出ライン１に水を供給する水ポンプである。ただ、水補給部は、必ずしも水ポンプとする必要はない。たとえば、排出ラインよりも高所に配置した水タンク、あるいは、水道を水補給部として使用することもできる。水道を水補給部とする供給装置は、図示しないが、圧力調整弁を介して水道ラインを排出ラインに接続する。図の水補給部６は、排出ライン１に供給する水の流量を検出する水量センサー１１を備えている。この供給装置は、水量センサー１１の信号をコントロール回路５に入力し、コントロール回路５が水量センサー１１の信号で水の流量を検出して、液肥の供給量が水の流量に対応する量となるように、液肥ポンプ２の運転を制御する。たとえば、水の流量が１００リットル／分で、排出ライン１の水の１／１００の濃度で液肥を供給する場合、液肥ポンプ２の流量が１リットル／分となるように、コントロール回路５は液肥ポンプ２の運転を制御する。図の供給装置は、液肥ポンプ２と直列に流量センサー１０を連結しているので、この流量センサー１０で液肥の流量を検出し、検出した流量が設定流量となるように、コントロール回路５は液肥ポンプ２の運転を制御する。
【００３４】
排出ライン１は、田畑に配設されるドリップチューブや散水ホース、散水機に連結され、あるいは高設栽培の栽培容器に、あるいは水耕栽培の栽培容器に連結して希釈液肥を供給する。さらに、供給装置は、排出ラインをタンクに連結して、供給される希釈液肥をこのタンクに一時蓄えた後、このタンクから散水機等を介して供給することもできる。
【００３５】
成分図示モニタ７は、肥料タンク４Ａ、４Ｂ、４Ｃに蓄える液肥の要素量と、液肥ポンプ２が肥料タンク４Ａ、４Ｂ、４Ｃから排出ライン１に供給する液肥量から、排出ライン１から排出される希釈液肥に含まれる要素比率を演算して、演算された要素比率を図示する。図の成分図示モニタ７は、モニタ本体７Ａと入力器８とを備えている。
【００３６】
図２のモニタ本体７Ａは、窒素成分と燐酸成分とカリウム成分とカルシウム成分とマグネシウム成分を要素比率としてグラフで表示する。この図に示すように、要素比率を棒グラフで横に並べて図示する成分図示モニタ７は、各々の肥料要素を正確に比率できる。ただ、成分図示モニタは、必ずしも肥料の要素比率を棒グラフで図示する必要はなく、たとえば円グラフ、折れ線グラフ、帯グラフ、絵グラフ（アイソタイプ等）、円グラフ（扇形グラフ）等で表示することもできる。
【００３７】
図のモニタ本体７Ａは、右から順番に、窒素成分、燐酸成分、カリウム成分、カルシウム成分、マグネシウム成分からなる肥料の５要素の比率を棒グラフで図示している。本発明の装置は、必ずしも以上の要素比率を成分図示モニタ７に図示する必要はなく、最も簡単には窒素成分と燐酸成分とカリウム成分からなる肥料の三要素の比率を図示することもできる。さらに、鉄成分、マンガン成分、銅成分、ホウ素成分等のいずれかを含む要素比率としてさらに詳細に図示することもできる。
【００３８】
成分図示モニタ７は、肥料タンク４Ａ、４Ｂ、４Ｃに蓄える液肥の要素量と、肥料タンク４Ａ、４Ｂ、４Ｃから排出ライン１に供給される液肥量から、排出ライン１が排出する希釈液肥の要素比率を演算して図示する。肥料タンク４Ａ、４Ｂ、４Ｃに蓄えられる液肥の要素量は、入力器８から入力される。図２の成分図示モニタ７は、入力器８から入力される肥料名の肥料に含まれる要素量を記憶する記憶部（図示せず）を備える。記憶部は、複数の肥料名の肥料の要素量を記憶している。たとえば、表１に示す肥料名（１−１〜５−２）の肥料に含まれる要素量を記憶している。記憶部に複数の肥料の要素量を記憶させる成分図示モニタ７は、肥料名とその肥料の重量を入力器８から入力して、肥料タンク４Ａ、４Ｂ、４Ｃの液肥に含まれる要素量を入力できる。さらに入力器８からは、肥料タンク４Ａ、４Ｂ、４Ｃの液肥を排出ライン１に供給する液肥量も入力される。
【００３９】
たとえば、肥料タンク４Ａに（１−７）の肥料が１５ｋｇ供給されて水に希釈され、さらに肥料タンク４Ｂには（４−１）の肥料が１０ｋｇ供給されて肥料タンク４Ａと等量の水に希釈され、液肥ポンプ２が肥料タンク４Ａの液肥と肥料タンク４Ｂの液肥を等量排出ライン１に供給するように入力器８から入力される状態において、成分図示モニタ７は以下のように演算して、要素比率を図示する。
【００４０】
表１に示す（１−７）の肥料は、窒素成分と燐酸成分とカリウム成分とマグネシウム成分の含有量を、肥料１００ｇに対して、順番に１０ｇ、８ｇ、２７ｇ、４ｇとしている。したがって、この肥料１５ｋｇを肥料タンク４Ａ入れると、肥料タンク４Ａに入れられる肥料の各々の要素量は以下のようになる。
窒素成分………………１．５ｋｇ（１０×１５０００／１００）
燐酸成分………………１．２ｋｇ（８×１５０００／１００）
カリウム成分…………４．１ｋｇ（２７×１５０００／１００）
マグネシウム成分……０．６ｋｇ（４×１５０００／１００）
【００４１】
また、肥料タンク４Ｂに、表１に示している（４−１）の肥料が１０ｋｇ入れられると、この肥料タンク４Ｂの肥料の要素量は以下のようになる。（４−１）の肥料は、窒素成分とカルシウム成分の含有量が、肥料１００ｇに対して、順番に１１ｇ、２３ｇである。したがって、この肥料１０ｋｇに含まれる肥料の要素量は以下のようになる。
窒素成分………………１．１ｋｇ（１１×１００００／１００）
カルシウム成分………２．３ｋｇ（２３×１００００／１００）
【００４２】
肥料タンク４Ａ、４Ｂから、たとえば等量の液肥が液肥本体で排出ライン１に供給されると、排出ライン１に供給される希釈液肥に含まれる窒素成分、燐酸成分、カリウム成分、カルシウム成分、マグネシウム成分の要素比率は以下のようになる。すなわち、肥料タンク４Ａから排出ライン１に供給される１５ｋｇの肥料と、肥料タンク４Ｂから排出ライン１に供給される１０ｋｇの肥料、すなわち肥料タンク４Ａ、４Ｂから供給されるトータルで２５ｋｇの肥料に対して、窒素成分、燐酸成分、カリウム成分、カルシウム成分、マグネシウム成分は以下の要素比率となる。
窒素成分……………２．６／２５
燐酸成分……………１．２／２５
カリウム成分………４．１／２５
カルシウム成分……２．３／２５
マグネシウム成分…０．６／２５
この要素比率が成分図示モニタ７に棒グラフとして図示される。
【００４３】
以上のように、成分図示モニタ７の記憶部に、複数の肥料名の要素量を記憶させる装置は、肥料名とその肥料の重量を入力して、肥料タンクに供給される肥料の要素量を特定できる。ただ、本発明の肥料の供給装置は、肥料タンクに供給する肥料の要素量を入力器から直接に入力することもできる。
【００４４】
成分図示モニタ７は、以下の式に基づいて窒素成分、燐酸成分、カリウム成分、カルシウム成分、マグネシウム成分の要素比率を演算する。窒素成分、燐酸成分、カリウム成分、カルシウム成分、マグネシウム成分が肥料タンク４Ａと４Ｂから排出ライン１に供給される量は以下のようになる。ただし、肥料タンク４Ａと４Ｂのふたつの肥料タンクから液肥を排出ライン１に供給されるとする。
【００４５】
窒素成分（Ｎ）＝Ｎa・ＡL／ＮA＋Ｎb・ＢL／ＮB
この式において、Ｎaは肥料タンク４Ａに供給される窒素成分量
ＡLは肥料タンク４Ａから排出ライン１に供給される液肥の流量
ＮAは肥料タンク４Ａに希釈される窒素成分の希釈倍率
Ｎbは肥料タンク４Ｂに供給される窒素成分量
ＢLは肥料タンク４Ｂから排出ライン１に供給される液肥の流量
ＮBは肥料タンク４Ｂに希釈される窒素成分の希釈倍率
燐酸成分（Ｐ）＝Ｐa・ＡL／ＰA＋Ｐb・ＢL／ＰB
この式において、Ｐaは肥料タンク４Ａに供給される燐酸成分量
ＰAは肥料タンク４Ａに希釈される燐酸成分の希釈倍率
Ｐbは肥料タンク４Ｂに供給される燐酸成分量
ＰBは肥料タンク４Ｂに希釈される燐酸成分の希釈倍率
カリウム成分（Ｋ）＝Ｋa・ＡL／ＫA＋Ｋb・ＢL／ＫB
この式において、Ｋaは肥料タンク４Ａに供給されるカリウム成分量
ＫAは肥料タンク４Ａに希釈されるカリウム成分の希釈倍率
Ｋbは肥料タンク４Ｂに供給されるカリウム成分量
ＫBは肥料タンク４Ｂに希釈されるカリウム成分の希釈倍率
カルシウム成分（Ｃａ）＝Ｃa・ＡL／ＣA＋Ｃb・ＢL／Ｃ
この式において、Ｃaは肥料タンク４Ａに供給されるカルシウム成分量
ＣAは肥料タンク４Ａに希釈されるカルシウム成分の希釈倍率
Ｃbは肥料タンク４Ｂに供給されるカルシウム成分量
ＣBは肥料タンク４Ｂに希釈されるカルシウム成分の希釈倍率
マグネシウム成分（Ｍｇ）＝Ｍa・ＡL／ＭA＋Ｍb・ＢL／ＭB
この式において、Ｍaは肥料タンク４Ａに供給されるマグネシウム成分量
ＭAは肥料タンク４Ａに希釈されるマグネシウム成分の希釈倍率
Ｍbは肥料タンク４Ｂに供給されるマグネシウム成分量
ＭBは肥料タンク４Ｂに希釈されるマグネシウム成分の希釈倍率
【００４６】
以上の式で肥料タンク４Ａ、４Ｂから排出ライン１に供給される窒素成分、燐酸成分、カリウム成分、カルシウム成分、マグネシウム成分の要素量が演算される。成分図示モニタ７は、演算された要素量から要素比率を計算して図示する。
【００４７】
さらに、肥料の供給装置は、特定の使用状態における要素比率を記憶している。たとえば、肥料タンク４Ａに肥料（１−７）を１５ｋｇ入れてこれを水で１０倍に希釈し、さらに、肥料タンク４Ｂに肥料（４−１）を１０ｋｇ入れてこれを水で１０倍に希釈し、さらに肥料タンク４Ａからは排出ライン１に供給する液肥量を１リットル／分、肥料タンク４Ｂから排出ライン１に供給する液肥量を１リットル／分とする状態の要素比率を特定パターンとして記憶している。この使用状態で使用されることが入力器８から入力されると、記憶している要素比率をモニタ本体７Ａに図示する。この状態で使用するとき、ユーザーは決められた肥料を決められた肥料タンク４Ａ、４Ｂに特定量供給し、また液肥ポンプ２の流量も決められた流量に設定する。この状態で使用できる肥料の供給装置は、各々の肥料タンク４Ａ、４Ｂに特定肥料を特定量供給し、かつ液肥ポンプ２の供給量が特定量である状態における要素比率を記憶する記憶部を成分図示モニタ７に備えている。
【００４８】
さらに、この記憶部は、複数の特定パターンを記憶することもできる。この記憶部は、複数の要素比率を特定パターンとして記憶しており、入力器８で選択された特定パターンに対する要素比率をモニタ本体７Ａに図示する。さらに、モニタ本体７Ａに図示された要素比率となるように、決められた肥料を決められた肥料タンクに特定量供給し、また液肥ポンプ２の流量も決められた流量に設定する。
【００４９】
図２に示す供給装置は、液肥ポンプ２の流量を検出する流量センサー１０を備えている。この装置は、流量センサー１０でもって、液肥ポンプ２が排出ライン１に供給する液肥の流量を検出し、検出した液肥の流量から、希釈液肥の要素比率を演算して図示することができる。この装置は、排出ライン１に供給される液肥の流量を流量センサー１０で確認して、現実の流量で要素比率を演算して図示できる。
【００５０】
さらに、図２の供給装置は、水補給部６に水量センサー１１を装備する。水量センサー１１の信号はコントロール回路５に入力される。コントロール回路５は、水量センサー１１から入力される信号で水の流量を検出して、水の流量に対応する流量で液肥ポンプ２の流量を制御して、所定の濃度で液肥を希釈して植物に供給する。
【００５１】
排出ライン１から植物に供給される希釈液肥の濃度、すなわち肥料タンク４Ａ、４Ｂ、４Ｃに供給される肥料を何倍に希釈して植物に供給するかは、肥料を肥料タンク４Ａ、４Ｂ、４Ｃに希釈する希釈倍率と、液肥ポンプ２の流量に対する水補給部６の水の流量の比率で特定される。したがって、図２の装置は、液肥ポンプ２が肥料タンク４Ａ、４Ｂ、４Ｃから液肥を排出ライン１に供給する流量で、希釈液肥の濃度を調整できる。液肥ポンプ２が多量の液肥を排出ライン１に供給すると、排出ライン１から排出される希釈液肥に含まれる肥料の濃度は高くなり、反対に液肥ポンプ２が液肥を排出ライン１に供給する流量を少なくすると、排出ライン１から排出される希釈液肥に含まれる肥料の濃度は低くなる。コントロール回路５は、水補給部６の水量センサー１１で水の流量を検出し、水に流量に対して設定された流量で液肥を肥料タンク４Ａ、４Ｂ、４Ｃから排出ライン１に供給して、希釈液肥の肥料の濃度を設定値とする。希釈液肥の肥料濃度が設定値となるように、入力器８から液肥ポンプ２の水に対する流量が入力される。
【００５２】
肥料の供給装置は１日に数回の割合で、一定の希釈液肥を排出ライン１から排出して植物に供給する。決められた時間になると、希釈液肥を排出するように、図に示す装置はタイマー１２を備える。タイマー１２は２４時間タイマーで、希釈液肥を排出ライン１から排出して植物に供給する時間を記憶している。タイマー１２に記憶された時間になると、コントロール回路５は水補給部６と液肥ポンプ２を駆動して、希釈液肥を排出ライン１から排出する。所定量の希釈液肥が排出されると、コントロール回路５は水補給部６と液肥ポンプ２の運転を停止して、希釈液肥の排出を停止する。コントロール回路５は、タイマー１２で運転を停止し、あるいは水補給部６の水流センサーの信号で運転を停止する。タイマー１２で運転を停止する装置は、タイマー１２に運転時間を記憶させている。水流センサーで運転を停止する装置は、水流センサーが設定流の水を通過させたことを検出して、いいかえると排出ライン１から排出される水の流量が設定値になると運転を停止する。
【００５３】
さらに、肥料の供給装置は、図示しないが、水分センサーや日射量センサーをコントロール回路に接続して、これらの検出値に基づいて植物に供給する液肥量を調整することもできる。水分センサーは、たとえば、植物が栽培される培地の水分量を検出することができる。コントロール回路は、水分センサーで検出される水分量が設定された水分量よりも低くなると液肥を供給し、検出される水分量が設定量よりも高いときには、液肥の供給を停止し、または制限することができる。日射量センサーは、植物に照射される太陽光の量である日射量を検出する。コントロール回路は、日射量センサーで検出される日射量が多くなると、植物に供給する液肥の量を多くし、あるいは供給する間隔を短くし、日射量が少なくなると、供給する液肥の量を少なくし、あるいは供給する間隔を長くして液肥の供給量を調整する。
【００５４】
肥料の供給装置が運転される時間、あるいは停止させる時間、あるいはまた、１回で排出される水量は入力器８から入力される。
【図面の簡単な説明】
【００５５】
【図１】従来の肥料の供給装置のブロック図である。
【図２】本発明の実施例にかかる肥料の供給装置のブロック図
【符号の説明】
【００５６】
１…排出ライン
２…液肥ポンプ            ２Ａ…液肥ポンプ
２Ｂ…液肥ポンプ
２Ｃ…液肥ポンプ
４…肥料タンク            ４Ａ…肥料タンク
４Ｂ…肥料タンク
４Ｃ…肥料タンク
５…コントロール回路
６…水補給部
７…成分図示モニタ        ７Ａ……モニタ本体
８…入力器
１０…流量センサー
１１…水量センサー
１２…タイマー
１３…ストレーナー付きフート弁
２０…ポンプ
２１…排出ライン
２２…液肥ポンプ
２３…制御装置
２４…肥料タンク
【図１】
2005192419.tif 000004
【図２】
2005192419.tif 000005